【手続補正書】
【提出日】平成20年5月8日(2008.5.8)
【手続補正１】
【補正対象書類名】明細書
【補正対象項目名】発明の名称
【補正方法】変更
【補正の内容】
【発明の名称】ネットワークデバイス及びその制御方法、並びにコンピュータプログラム
【手続補正２】
【補正対象書類名】明細書
【補正対象項目名】特許請求の範囲
【補正方法】変更
【補正の内容】
【特許請求の範囲】
【請求項１】  ネットワークデバイスであって、
前記ネットワークデバイスの状態に応じて、他の装置からのアクセスを制限する制限手段と、
ファイルの更新についての問い合わせを前記他の装置から受信する受信手段と、
前記受信手段により受信された問い合わせに含まれている日時情報に基づいて、前記他の装置にキャッシュされているファイルに対応するファイルが更新されているか否かを判別する判別手段と、
前記制限手段により前記他の装置からのアクセスが制限されていない場合には、前記判別手段による判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限手段により前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信手段と、
を有することを特徴とするネットワークデバイス。
【請求項２】  前記制限手段は、前記ネットワークデバイスがメンテナンス中か否かに応じて、前記他の装置からのアクセスを制限することを特徴とする請求項１に記載のネットワークデバイス。
【請求項３】  ネットワークデバイスであって、
前記ネットワークデバイスに状態に応じて、他の装置からのアクセスを制限する制限手段と、
前記他の装置が有するファイルに付加された日時情報を検出する検出手段と、
前記検出手段により検出された前記日時情報に基づいて、前記他の装置にキャッシュされているファイルに対応するファイルが更新されているか否かを判別する判別手段と、
前記制限手段により前記他の装置からのアクセスが制限されていない場合には、前記判別手段による判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限手段により前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信手段と、
を有することを特徴とするネットワークデバイス。
【請求項４】  前記制限手段により前記他の装置からのアクセスが制限されている場合には、前記送信手段は、前記判別手段による判別なしに、前記他の装置によるアクセスが制限されていること及び該制限の理由を示す情報を前記他の装置に送信することを特徴とする請求項３に記載のネットワークデバイス。
【請求項５】  前記制限手段は、前記ネットワークデバイスがメンテナンス中か否かに応じて、前記他の装置からのアクセスを制限することを特徴とする請求項３又は請求項４に記載のネットワークデバイス。
【請求項６】  ネットワークデバイスの制御方法であって、
前記ネットワークデバイスの状態に応じて、他の装置からのアクセスを制限する制限工程と、
ファイルの更新についての問い合わせを前記他の装置から受信する受信工程と、
前記受信工程において受信された問い合わせに含まれている日時情報に基づいて、前記他の装置にキャッシュされているファイルに対応するファイルが更新されているか否かを判別する判別工程と、
前記制限工程において前記他の装置からのアクセスが制限されていない場合には、前記判別工程における判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限工程において前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信工程と、
を有することを特徴とするネットワークデバイスの制御方法。
【請求項７】  ネットワークデバイスの制御方法であって、
前記ネットワークデバイスに状態に応じて、他の装置からのアクセスを制限する制限工程と、
前記他の装置が有するファイルに付加された日時情報を検出する検出工程と、
前記検出工程において検出された前記日時情報に基づいて、前記他の装置にキャッシュされているファイルに対応するファイルが更新されているか否かを判別する判別工程と、
前記制限工程において前記他の装置からのアクセスが制限されていない場合には、前記判別工程における判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限工程において前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信工程と、
を有することを特徴とするネットワークデバイスの制御方法。
【請求項８】  コンピュータにより実行され、ネットワークデバイスを制御するためのコンピュータプログラムであって、
前記ネットワークデバイスの状態に応じて、他の装置からのアクセスを制限する制限工程と、
ファイルの更新についての問い合わせを前記他の装置から受信する受信工程と、
前記受信工程において受信された問い合わせに含まれている日時情報に基づいて、前記他の装置にキャッシュされているファイルに対応するファイルが更新されているか否かを判別する判別工程と、
前記制限工程において前記他の装置からのアクセスが制限されていない場合には、前記判別工程における判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限工程において前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信工程と、
をコンピュータに実行させることを特徴とするコンピュータプログラム。
【請求項９】  コンピュータにより実行され、ネットワークデバイスを制御するためのコンピュータプログラムであって、
前記ネットワークデバイスに状態に応じて、他の装置からのアクセスを制限する制限工程と、
前記他の装置が有するファイルに付加された日時情報を検出する検出工程と、
前記検出工程において検出された前記日時情報に基づいて、前記他の装置にキャッシュされているファイルに対応するファイルが更新されているか否かを判別する判別工程と、
前記制限工程において前記他の装置からのアクセスが制限されていない場合には、前記判別工程における判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限工程において前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信工程と、
をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、ネットワークデバイス及びその制御方法、並びにコンピュータプログラムに関する。
【手続補正４】
【補正対象書類名】明細書
【補正対象項目名】０００６
【補正方法】変更
【補正の内容】
【０００６】
【課題を解決するための手段】
本発明は、ネットワークデバイスであって、前記ネットワークデバイスの状態に応じて、他の装置からのアクセスを制限する制限手段と、ファイルの更新についての問い合わせを前記他の装置から受信する受信手段と、前記受信手段により受信された問い合わせに含まれている日時情報に基づいて、前記他の装置にキャッシュされているファイルに対応するファイルが更新されているか否かを判別する判別手段と、前記制限手段により前記他の装置からのアクセスが制限されていない場合には、前記判別手段による判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限手段により前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信手段と、を有することを特徴とするネットワークデバイス及びその制御方法並びにコンピュータプログラムを提供する。
【手続補正５】
【補正対象書類名】明細書
【補正対象項目名】０００７
【補正方法】変更
【補正の内容】
【０００７】
また、ネットワークデバイスであって、前記ネットワークデバイスに状態に応じて、他の装置からのアクセスを制限する制限手段と、前記他の装置が有するファイルに付加された日時情報を検出する検出手段と、前記検出手段により検出された前記日時情報に基づいて、前記他の装置にキャッシュされているファイルに対応するファイルが更新されているか否かを判別する判別手段と、前記制限手段により前記他の装置からのアクセスが制限されていない場合には、前記判別手段による判別に応じて、前記他の装置にキャッシュされているファイルに対応するファイルが更新されていないことを示す情報、または、前記他の装置にキャッシュされているファイルに対応する更新されたファイルを、前記他の装置のいずれかに送信し、前記制限手段により前記他の装置からのアクセスが制限されている場合には、前記他の装置にキャッシュされているファイルに対応するファイルが更新されているか否に係らず、前記他の装置によるアクセスが制限されていること及び該制限の理由を示す情報を前記他の装置に送信する送信手段と、を有することを特徴とするネットワークデバイス及びその制御方法並びにコンピュータプログラムを提供する。